(57)【要約】【課題】光源を容易に交換可能な薄型の照明装置を提供する。【解決手段】金属板を折り曲げてなる本体の表面に有機ＥＬパネルが設けられている照明装置であって、前記本体は、支持部と、前記支持部の主面と交差する方向に延在する保持部であって、該保持部の延在方向と交差する第１の方向に傾斜した第１の傾斜部と、前記第１の方向と反対の第２の方向に傾斜した第２の傾斜部とが設けられた保持部とを有し、前記保持部の前記第１の傾斜部と前記第２の傾斜部の少なくとも一方に有機ＥＬパネルが着脱可能に設けられている。【選択図】図１
2011154869.tif 000002
【特許請求の範囲】
【請求項１】
金属板を折り曲げてなる本体の表面に有機ＥＬパネルが設けられている照明装置であって、
前記本体は、
支持部と、
前記支持部の主面と交差する方向に延在する保持部であって、該保持部の延在方向と交差する第１の方向に傾斜した第１の傾斜部と、前記第１の方向と反対の第２の方向に傾斜した第２の傾斜部とが設けられた保持部と、を有し、
前記保持部の前記第１の傾斜部と前記第２の傾斜部の少なくとも一方に有機ＥＬパネルが着脱可能に設けられていることを特徴とする照明装置。
【請求項２】
複数の前記第１の傾斜部と前記第２の傾斜部とが前記保持部の延在方向に沿って交互に設けられていることを特徴とする請求項１に記載の照明装置。
【請求項３】
前記第１の傾斜部または前記第２の傾斜部の表面と、該表面に設けられた絶縁材料からなるフレームの内側面とによって囲まれた収容部と、
前記フレームの少なくとも一辺に回動可能に設けられ、前記収容部の内側に突出した第１の位置と、前記収容部の外側に退避した第２の位置とに変位可能なストッパーと、を有し、
前記ストッパーを前記第１の位置に変位させると、前記収容部内に収容されている有機ＥＬ素子の少なくとも一辺が前記ストッパーと前記第１の傾斜部または前記第２の傾斜部の表面との間に挟持され、前記ストッパーを前記第２の位置に変位させると、前記挟持が解除されることを特徴とする請求項１又は請求項２に記載の照明装置。
【発明の詳細な説明】
【技術分野】
【０００１】
本発明は、有機ＥＬ素子を光源とする照明装置に関するものである。
【背景技術】
【０００２】
有機ＥＬ（Organic Electro-Luminescence）素子(以下「有機ＥＬ素子」)は、電圧印加から発光までの時間が非常に短く応答性に優れ、またその応答性が温度によってほとんど変化しないという特徴を有する。さらに、視野角が１８０度に近いという特徴を有する。これらの特徴から、近年、有機ＥＬ素子は表示装置のバックライト用光源や空間照明用光源として注目されており、有機ＥＬ素子を光源とした照明装置が特許文献１や特許文献２に開示されている。
【０００３】
特許文献１には、有機ＥＬ素子を光源とする面発光装置が収容された２つの筺体が把持部に回動可能に連結されている照明装置が開示されている。特許文献１に開示されている照明装置では、把持部を机の天板等の載置面上に載置することができるとともに、２つの筺体を把持部（載置面）に対して所定の角度をなす位置に保持できるようになっている。
【０００４】
また、特許文献２には、一面に有機ＥＬ素子からなる面発光体が配置された平板状の発光パネルと、発光パネルの外郭部を囲むように窓部が形成されると共に、発光パネルを窓部において回動可能に軸支した平板状の枠部材からなる発光ユニットが複数具備された照明装置が開示されている。特許文献２に開示されている照明装置では、上記枠部材の対向する各端部がヒンジ部により互いに回動可能に連結されて、隣接する枠部材同士の連結角度を任意に変更可能となっている。
【先行技術文献】
【特許文献】
【０００５】
【特許文献１】特開２００６−１４７２６２号公報（段落［００１０］〜[００１２]、図１）
【特許文献２】特開２００９−２０６０３０号公報（段落［００１８］〜[００２４]、図１、図２）
【発明の概要】
【発明が解決しようとする課題】
【０００６】
上記特許文献１や特許文献２に開示されている照明装置では光源の交換が意図されていない。すなわち、特許文献１には、筺体に対する面発光装置の取り付け構造について一切開示なく、面発光装置は筺体に取り外し不可能に固定されているものと解される。また、特許文献２の段落[００２２]には、「発光パネル３の対向する両辺の中央部を結ぶ線上において、発光パネル３を回動可能に軸支する前記軸支部分６が、前記枠部材４に形成されている。それ故、前記枠部材４に形成された四角形状の窓部５に、前記発光パネル３が内接した状態で、前記発光ユニット１は平板状に形成されることになる。」との記載がある。しかし、同文献２には、上記軸支が解除可能であるか否かについてはまったく説明がさておらず、発光パネルは枠部材に取り外し不可能に軸支されているものと解される。仮に、枠部材に対する発光パネルの軸支を解除することができたとしても、その操作には手間が掛かり、また、操作中に軸支部分が破損したり、変形したりする虞がある。
【０００７】
加えて、特許文献１に開示されている照明装置では、光を正面方向のみでなく、斜め方向にも照射可能とするために、面発光装置と把持部とが軸状の接続部を介して回動可能に連結されている。具体的には、接続部の一端は筺体の側面に結合され、他端は把持部の一端部に結合されている（特許文献１の段落[００１２]参照）。よって、筺体および把持部には、少なくとも接続部の直径以上の厚みが要求されるか、接続部の直径以上の厚みを有する軸受手段が要求される。そこで、筺体、把持部、軸受手段などを薄型化するために接続部を細径化すると、接続部の強度が低下し、耐久性や信頼性が低下する。
【０００８】
また、特許文献２に開示されている照明装置では、光を正面方向のみでなく、斜め方向にも照射可能とするために、発光パネルと枠部材とが該枠部材に設けられた軸支部分によって回動可能に連結されている。よって、発光パネルと枠部材には、軸支部分の直径以上の厚みが要求されるか、軸支部分の直径以上の厚みを有する軸受手段が要求される。そこで、軸受手段を薄型化するために軸支部を細径化すると、軸支部分の強度が低下し、耐久性や信頼性が低下する。
【０００９】
このように、従来の照明装置では光源の交換が不可能であるか、または困難であった。加えて、従来の照明装置は薄型化の要求に十分に応えられていなかった。
【００１０】
本発明の目的は、光源を容易に交換可能な薄型の照明装置を提供することである。
【課題を解決するための手段】
【００１１】
金属板を折り曲げてなる本体の表面に有機ＥＬパネルが設けられている照明装置であって、前記本体は、支持部と、前記支持
部の主面と交差する方向に延在する保持部であって、該保持部の延在方向と交差する第１の方向に傾斜した第１の傾斜部と、前記第１の方向と反対の第２の方向に傾斜した第２の傾斜部とが設けられた保持部とを有し、前記保持部の前記第１の傾斜部と前記第２の傾斜部の少なくとも一方に有機ＥＬパネルが着脱可能に設けられていることを特徴とする。
【発明の効果】
【００１２】
本発明によれば、光源を容易に交換可能な薄型の照明装置を提供することができる。
【図面の簡単な説明】
【００１３】
【図１】本発明の照明装置の実施形態の一例を示す平面図であって、（ａ）は側面図、（ｂ）は正面図、（ｃ）は背面図、（ｄ）は上面図である。
【図２】図１に示す照明装置の一部を拡大して示した平面図である。
【発明を実施するための形態】
【００１４】
以下、本発明の照明装置の実施形態の一例について図面を参照して詳細に説明する。図１は、本実施形態に係る照明装置の平面図である。図２は、本実施形態に係る照明装置の一部を拡大して示した平面図である。
【００１５】
図１に示すように、本実施形態に係る照明装置は、金属の薄板を所望の形状に折り曲げてなる本体１と、本体１の表面に配置された複数の有機ＥＬパネル２とを有する。以下の説明では、図１の紙面左側を正面、紙面右側を背面として区別する。よって、図１（ｂ）は照明装置の正面図であり、同図（ｃ）は背面図である。また、図１（ａ）は照明装置の側面図、同図（ｄ）は上面図である。もっとも、かかる区別は説明の便宜上の区別に過ぎない。
【００１６】
本体１は、支持部３と、支持部３の一辺から該支持部３の主面と交差する方向に屈曲しながら延在する保持部４とを有する。より具体的には、保持部４は、照明装置の正面側と背面側に交互に屈曲しながら上記方向に延在している。要するに、保持部４は所謂ジグザグに延在している。結果、保持部４には、上記延在方向と交差する第１の方向に向けて傾斜する（正面側に倒伏する）第１の傾斜部５ａと、第１の方向と反対の第２の方向に向けて傾斜する（背面側に倒伏する）第２の傾斜部５ｂとが存在している。
【００１７】
図１（ａ）に示すように、本実施形態では、三つの第１の傾斜部５ａと、四つの第２の傾斜部５ｂとが交互に連続して存在している。そして、第１の傾斜部５ａの正面側表面および第２の傾斜部５ｂの背面側表面に、有機ＥＬパネル２がそれぞれ配置されている。すなわち、傾斜方向が逆向きである第１の傾斜部５ａの正面側表面および第２の傾斜部５ｂの背面側表面のそれぞれに有機ＥＬパネル２が設けられている。
【００１８】
ここで、三つの第１の傾斜部５ａのうち、二つは同一の面積を有し、残りの一つは、他の二つの約２倍の面積を有する。また、四つの第２の傾斜部５ｂのうち、三つは同一の面積を有し、残りの一つは、他の三つの約２倍の面積を有する。そして、三つの第１の傾斜部５ａのうち、相対的に面積が小さい二つの第１の傾斜部５ａには有機ＥＬパネル２がそれぞれ一つずつ配置され、相対的に面積の大きな第１の傾斜部５ａには二つの有機ＥＬパネル２が配置されている。同様に、四つの第２の傾斜部５ｂのうち、相対的に面積が小さい第２の傾斜部５ｂには有機ＥＬパネル２がそれぞれ一つずつ配置され、相対的に面積の大きな第２の傾斜部５ｂには二つの有機ＥＬパネル２が配置されている。
【００１９】
有機ＥＬパネル２は、従来から知られている一般的な有機ＥＬパネルと同一の構造を有する。よって、ここでは概略のみを説明し、詳細な説明は省略する。有機ＥＬパネル２は、少なくとも透光性基板と、透光性基板の一面に形成された発光部とを有する。発光部は、透光性基板の一面に形成された透明電極と、透明電極の上に積層された有機化合物からなる発光層と、発光層の上に形成された対向電極とから構成されている。換言すれば、透明電極と対向電極との間に発光層が挟持されている。そして、透明電極および対向電極に電圧が印加されると、発光層の内部で発光が生じる。発生した光の一部は、透明電極を透過して透光性基板に入射し、該基板の表面から大気中に出射される。また、発生した光の他の一部は、対向電極によって反射された後に透明電極を透過して透光性基板に入射し、該基板の表面から大気中に出射される。いずれにしても、発光層の内部で生じた光は、透光性基板の表面から大気中に出射される。もっとも、透光性基板の表面に、対向電極、発光層および透明電極がこの順で積層されて発光部が構成されている場合には、透明電極の表面から光が出射される。いずれにしても、有機ＥＬパネルは、光が出射される面が外側を向くようにして第１の傾斜部５ａおよび第２の傾斜部５ｂに配置されている。
【００２０】
ここで、第１の傾斜部５ａおよび第２の傾斜部５ｂの数や面積は上記の数や面積に限定されない。また、第１の傾斜部５ａの背面側表面および第２の傾斜部５ｂの正面側表面に有機ＥＬパネル２を配置してもよく、正面側および背面側の両面に有機ＥＬパネル２を配置してもよい。さらには、一部の傾斜部にのみ有機ＥＬパネル２を設けてもよい。
【００２１】
次に、保持部４の各傾斜部に対する有機ＥＬパネル２の取り付け構造について説明する。もっとも、各傾斜部に対する有機ＥＬパネル２の取り付け構造は共通している。よって、図１（ａ）〜（ｃ）において支持部３から最も離れた位置にある第１の傾斜部５ａへの有機ＥＬパネル２の取り付け構造について図２を参照しながら説明し、他の傾斜部への取り付け構造の説明および図示は省略する。
【００２２】
図２に示すように、第１の傾斜部５ａの正面側表面には、合成樹脂製その他の絶縁材料によって形成された矩形のフレーム１０がネジ１１によって固定され、該フレーム１０の内側面と第１の傾斜部５ａの正面側表面とによって有機ＥＬパネル２を収容可能な凹部（収容部１２）が形成されている。
【００２３】
さらに、フレーム１０の少なくとも一辺には、回転操作によって収容部１２の内外に進退可能な可動ストッパー１３が設けられており、フレーム１０の少なくとも他の一辺には、収容部１２の内側に突出した固定ストッパー１４が設けられている。より具体的には、可動ストッパー１３は、その一端がフレーム１０の一辺に回転可能に軸支されており、他端が収容部１２の内側に突出した第１の位置と、収容部１２の外側に退避した第２の位置とに回転操作によって変位可能である。よって、収容部１２内に有機ＥＬパネル２を収容した後に、可動ストッパー１３を回転操作し、該ストッパー１３の先端を収容部１２の内側に突出させると（可動ストッパー１３を第１の位置に変位させると）、可動ストッパー１３と第１の傾斜部５ａの正面側表面との間に有機ＥＬパネル２の一辺が挟持され、固定ストッパー１４と第１の傾斜部５ａの正面側表面との間に有機ＥＬパネル２の他の一辺が挟持される。
【００２４】
一方、可動ストッパー１３を上記とは逆方向に回転操作し、該ストッパー１３の先端を収容部１２の外側に退避させると（可動ストッパー１３を第２の位置に変位させると）、上記挟持が解除され、有機ＥＬパネル２を収容部１２から取り出すことができる。すなわち、有機ＥＬパネル２が本体１に対して着脱可能なので、有機ＥＬパネル２の交換やメンテナンスが極めて容易である。
【００２５】
また、フレーム１０が絶縁材料によって形成されているので、該フレーム１０に絶縁処理などを施す必要がなく、生産コストも削減される。
【００２６】
なお、絶縁材料によって形成された一対のフレームによって有機ＥＬパネルの周縁を挟持することによって、フレームと有機ＥＬパネルとを一体化してもよい。この場合、フレームと有機ＥＬパネルとが一体化されたユニットを第１の傾斜部の正面側表面にネジその他の固定手段によって着脱可能に固定すればよい。
【００２７】
本実施形態の照明装置は、本体１の支持部３（図１）によって自立可能であり、部屋の床にそのまま置いて使用することができる。また、支持部３を天井に固定したり、天井から吊り下げて使用したりすることもできる。さらには、支持部３を壁面に固定して使用することもできる。
【００２８】
例えば、図１に示す照明装置を部屋の床に置いた場合、第１の傾斜部５ａおよび第２の傾斜部５ｂに設けられている有機ＥＬパネル２から発せられる光は、主に正面および床面に向けて配光される。また、第１の傾斜部５ａの背面側表面および第２の傾斜部５ｂの正面側表面に有機ＥＬパネル２を配置すれば、有機ＥＬパネル２から発せられる光は、主に正面および天井面に向けて配光される。さらに、第１の傾斜部５ａまたは第２の傾斜部５ｂの正面側表面および背面側正面の双方に有機ＥＬパネル２を配置すれば、その有機ＥＬパネル２から発せられる光は、正面、天井面および床面に向けて配光される。このように、有機ＥＬパネル２の配置を変更することによって所望方向に配光することができる。このように本発明によれば、光源である有機ＥＬパネルを回動可能に保持しなくとも、光を正面方向のみでなく、斜め方向にも配光可能である。よって、有機ＥＬパネルを回動可能に保持するための手段（軸や軸受など）が不要となり、装置の薄型化が容易となる。また、部品点数が少なくなるので、生産コストが低減されるとともに、耐久性や信頼性も向上する。
【符号の説明】
【００２９】
１  本体
２  有機ＥＬパネル
３  支持部
４  保持部
５ａ  第１の傾斜部
５ｂ  第２の傾斜部
１０  フレーム
１１  ネジ
１２  収容部
１３  可動ストッパー
１４  固定ストッパー
【図１】
2011154869.tif 000003
【図２】
2011154869.tif 000004